(57)【特許請求の範囲】
【請求項１】
仏壇本体と、
この仏壇本体に略水平方向に設けられた複数の棚と、
この複数の棚のいずれか１つの棚の下面に、前記仏壇本体の前面側に面するように設けられ、前記仏壇本体の前面から見て、後方に位置する案内板および、この案内板の前方に位置し前記案内板に折曲自在に連結され、裏面に受部材を設けた保持板を有する棚板と、
前記棚の下面に、前記仏壇本体の左右方向に沿って設けられ、摺動溝部を有する左右
スライド保持体と、
この左右スライド保持体に摺動自在に取り付けられる左右スライド体と、
この左右スライド体に、前記仏壇本体の前後方向に沿って設けられ、摺動溝部を有す
る前後スライド保持体と、
前記棚板の、前記案内板および前記保持板の少なくとも前記案内板の上面に前記仏壇
本体の前後方向に沿って設けられ、前記前後スライド保持体に摺動自在に取り付けられる
前後スライド体とを備え、
前記棚板を、前記左右スライド保持体、前記左右スライド体、前記前後スライド保持
体、前記前後スライド体を介して、前記棚の下面に前記仏壇本体の左右方向および前後方
向に沿って摺動自在に懸吊し、前記棚の下面から前記仏壇本体の前面側に引き出した状態
で、前記保持板を前記案内板に近づけるように傾斜させて折曲保持させ、書物の見台が形成されるようにすると共に、前記仏壇本体の左右方向に移動できるようにし、後面側に押し込まれた状態で、前記仏壇本体内に収納するようにした
ことを特徴とする仏壇。
【請求項２】
前記案内板と前記保持板は、蝶番を介して折曲自在に連結されている
ことを特徴とする請求項１記載の仏壇。
【請求項３】
前記棚板は、
前記案内板に、前記仏壇本体に当接され前記仏壇本体の前方への引き出し限界を規制
する止め部材を備え、且つ前記仏壇本体の前面から見て、両側部にストッパを設けると共
に前記仏壇本体の前後方向に沿って案内部を形成するための案内枠を設け、
前記保持板に、前記仏壇本体の前面から見て、後部の両側部に連結板を設け、且つこ
の各連結板に軸を介して折曲自在に連結されると共に、前記案内部に摺動自在に装着され
摺動方向に沿って前記案内板の前記ストッパと嵌合し合う長穴を形成する摺動板を設け、
前記棚板が、前記仏壇本体内に収納された状態で、前記仏壇本体の前面から見て、前
記案内板の前端部と前記保持板の後端部とが当接され、また前記仏壇本体の前面側に止め
部材で規制された引き出し限界まで引き出され、前記長穴の後端が前記ストッパと当接し
前記保持板の移動が規制され前記保持板が前記案内板から離間した状態で、前記連結板を
前記摺動板に対して折曲させ、前記保持板を前記案内板に近づけるように傾斜させて折曲
保持させ、書物の見台が形成されるようにした
ことを特徴とする請求項１記載の仏壇。
【請求項４】
前記棚板は、
前記案内板に、前記仏壇本体に当接され前記仏壇本体の前方への引き出し限界を規制
する止め部材を備えると共に、前記仏壇本体の前面から見て、前端部にマグネットを備え
、且つ両側部にストッパを設けると共に前記仏壇本体の前後方向に沿って案内部を形成す
るための案内枠を設け、
前記保持板に、マグネットを、前記案内板の前記マグネットと対をなし対向位置する
よう、前記仏壇本体の前面から見て、後端部に設けると共に後部の両側部に連結板を設け
、且つこの各連結板に軸を介して折曲自在に連結されると共に、前記案内部に摺動自在に
装着され摺動方向に沿って前記案内板の前記ストッパと嵌合し合う長穴を形成する摺動板
を設け、
前記棚板が、前記仏壇本体内に収納された状態で、前記案内板の前記前端部と前記保
持板の前記後端部とが互いの各マグネットの磁力により当接され、また前記仏壇本体の前
面側に止め部材で規制された引き出し限界まで引き出された状態で、前記各マグネットの
磁力に抗して前記保持板を前記案内板から離間させ、前記長穴の後端が前記ストッパと当
接し前記保持板の移動が規制された状態で、前記連結板を前記摺動板に対して折曲させ、
前記保持板を前記案内板に近づけるように傾斜させて折曲保持させ、書物の見台が形成されるようにした
ことを特徴とする請求項１記載の仏壇。
【発明の詳細な説明】
【技術分野】
【０００１】
本発明は経本等の見台を備えた仏壇に関するもので、詳しくは仏壇本体内のスペース
をより有効活用し、見台を仏壇本体内に引き出し自在に収納できるようにし、仏壇本体内
に載置される安置物や仏具等を整然と且つ効果的に載置収納できるようにした仏壇に関す
る。
【背景技術】
【０００２】
従来の仏壇は、仏壇内に安置物や、仏飯器、茶台、香炉、燭台、花立等のさまざまな
仏具を収納し、所定の位置に配置していた。また、このような状況のなかで、勤行時には
、仏壇本体とは別に製作された経本等の見台を取り出してき、前記した所定の位置に配置
した、さまざまな仏具等を移動させ見台の設置スペースを作り出さなければならない。そ
して昨今の住宅事情等により、室内に配置する仏壇は、小形化されたものが一般的となり
、それに相応して、この仏壇内の安置物や仏具等の載置スペースも一層狭められ、使用者
にとつては、その配置に苦慮する欠点があった。また勤行を終えれば見台を取り除き、仏
具等をまた元の位置に戻す作業が必要となり、この見台の設置、かたつけ等の作業の際、
花立や燭台に身体が触れて、これら仏具が転倒し仏具その他の損傷が生じる等の欠点があ
った。
【発明の開示】
【発明が解決しようとする課題】
【０００３】
本発明は前記した問題点を解決するためになされたもので、仏壇本体内のスペースを
より有効活用し、簡単な構成により、経本等の見台を仏壇本体内に引き出し自在に収納で
きるようにし、仏壇本体内に載置される安置物や仏具等の転倒、損傷を防止し、整然且つ
効果的に載置収納できるようにした仏壇を提供することを目的とする。
【課題を解決するための手段】
【０００８】
請求項１記載の仏壇は、仏壇本体と、この仏壇本体に略水平方向に設けられた複数の棚と、この複数の棚のいずれか１つの棚の下面に、前記仏壇本体の前面側に面するように設けられ、前記仏壇本体の前面から見て、後方に位置する案内板および、この案内板の前方に位置し前記案内板に折曲自在に連結され、裏面に受部材を設けた保持板を有する棚板と、前記棚の下面に、前記仏壇本体の左右方向に沿って設けられ、摺動溝部を有する左右スライド保持体と、この左右スライド保持体に摺動自在に取り付けられる左右スライド体と、この左右スライド体に、前記仏壇本体の前後方向に沿って設けられ、摺動溝部を有する前後スライド保持体と、前記棚板の、前記案内板および前記保持板の少なくとも前記案内板の上面に前記仏壇本体の前後方向に沿って設けられ、前記前後スライド保持体に摺動自在に取り付けられる前後スライド体とを備え、前記棚板を、前記左右スライド保持体、前記左右スライド体、前記前後スライド保持体、前記前後スライド体を介して、前記棚の下面に前記仏壇本体の左右方向および前後方向に沿って摺動自在に懸吊し、前記棚の下面から前記仏壇本体の前面側に引き出した状態で、前記保持板を前記案内板に近づけるように傾斜させて折曲保持させ、書物の見台が形成されるようにすると共に、前記仏壇本体の左右方向に移動できるようにし、後面側に押し込まれた状態で、前記仏壇本体内に収納するようにしたものである。
【０００９】
また、請求項２記載の仏壇は、請求項１記載の仏壇において、前記案内板と前記保持板は、蝶番を介して折曲自在に連結するようにしたものである。
【００１０】
また、請求項３記載の仏壇は、請求項１記載の仏壇において、前記棚板は、前記案内板に、前記仏壇本体に当接され前記仏壇本体の前方への引き出し限界を規制する止め部材を備え、且つ前記仏壇本体の前面から見て、両側部にストッパを設けると共に前記仏壇本体の前後方向に沿って案内部を形成するための案内枠を設け、前記保持板に、前記仏壇本体の前面から見て、後部の両側部に連結板を設け、且つこの各連結板に軸を介して折曲自在に連結されると共に、前記案内部に摺動自在に装着され摺動方向に沿って前記案内板のストッパと嵌合し合う長穴を形成する摺動板を設け、前記棚板が、前記仏壇本体内に収納された状態で、前記仏壇本体の前面から見て、前記案内板の前端部と前記保持板の後端部とが当接され、また前記仏壇本体の前面側に止め部材で規制された引き出し限界まで引き出され、前記長穴の後端が前記ストッパと当接し前記保持板の移動が規制され前記保持板が前記案内板から離間した状態で、前記連結板を前記摺動板に対して折曲させ、前記保持板を前記案内板に近づけるように傾斜させて折曲保持させ、書物の見台が形成されるようにしたものである。
【００１１】
更に、請求項４記載の仏壇は、請求項１記載の仏壇において、前記棚板は、前記案内板に、前記仏壇本体に当接され前記仏壇本体の前方への引き出し限界を規制する止め部材を備えると共に、前記仏壇本体の前面から見て、前端部にマグネットを備え、且つ両側部にストッパを設けると共に前記仏壇本体の前後方向に沿って案内部を形成するための案内枠を設け、前記保持板に、マグネットを、前記案内板の前記マグネットと対をなし対向位置するよう、前記仏壇本体の前面から見て、後端部に設けると共に後部の両側部に連結板を設け、且つこの各連結板に軸を介して折曲自在に連結されると共に、前記案内部に摺動自在に装着され摺動方向に沿って前記案内板の前記ストッパと嵌合し合う長穴を形成する摺動板を設け、前記棚板が、前記仏壇本体内に収納された状態で、前記案内板の前記前端部と前記保持板の前記後端部とが互いの各マグネットの磁力により当接され、また、前記仏壇本体の前面側に止め部材で規制された引き出し限界まで引き出された状態で、前記各マグネットの磁力に抗して前記保持板を前記案内板から離間させ、前記長穴の後端が前記ストッパと当接し前記保持板の移動が規制された状態で、前記連結板を前記摺動板に対して折曲させ、前記保持板を前記案内板に近づけるように傾斜させて折曲保持させ、書物の見台が形成されるようにしたものである。
【発明の効果】
【００１６】
請求項１記載の仏壇によれば、仏壇本体の棚の下面に設けられ、案内板に折曲自在に連結され、裏面に受部材を設けた保持板を有する棚板と、棚の下面に設けられた左右スライド保持体と、この左右スライド保持体に取り付けられる左右スライド体と、この左右スライド体に設けられる前後スライド保持体と、案内板および保持板の少なくとも案内板の上面に設けられる前後スライド体とを備え、棚板を左右スライド保持体、左右スライド部、前後スライド保持体、前後スライド体を介して棚の下面に左右、前後摺動自在に懸吊し、棚板を引き出した状態で、保持板を折曲保持させ見台が形成されるようにすると共に、左右方向に移動できるようにし、後面側に押し込まれた状態で、仏壇本体内に収納するようにしたため、見台を別部品として別製作する必要がなく、また見台の収納場所を特別に設ける必要もない。また見台は折畳んだ状態で小形化され収納でき、しかも仏壇本体の棚の下面を利用し簡単に構成でき、仏壇本体内のスペースをより有効活用できる。そのため見台の設置、かたつけ作業等の際、仏具等を移動させ設置スペースをつくり出す煩わしさもなく、また燭台等の仏具に触れて転倒、損傷させたりすることを防止できる。これにより仏壇本体に仏具等を整然と且つ効果的に載置収納できる。また棚板のより円滑な引き出し操作およびより迅速な見台の形成操作ができると共に、棚板を左右方向に移動できるため、見台を適切な位置に調節できる。
【００１７】
また、請求項２記載の仏壇によれば、案内板と保持板は、蝶番を介して折曲自在に連結するようにしたため、構成を簡単にできると共に案内板と保持板との折曲作用を確実に行なうことができる。
【００１８】
また、請求項３記載の仏壇によれば、棚板は、案内板に、仏壇本体の前方への引き出し限界を規制する止め部材を備え、且つ両側部にストッパを設けると共に案内部を形成するための案内枠を設け、また保持板に、両側部に連結板を設け、且つこの各連結板に折曲自在に連結されると共に、案内部に摺動自在に装着され摺動方向に沿って案内板のストッパと嵌合し合う長穴を形成する摺動板を設け、棚板が、仏壇本体内に収納された状態で、案内板の前端部と保持板の後端部とが当接され、また仏壇本体の前面側に止め部材で規制された引き出し限界まで引き出され、長穴の後端がストッパと当接し保持板の移動が規制され保持板が案内板から離間した状態で、連結板を摺動板に対して折曲させ、保持板を案内板に折曲保持させ、見台が形成されるようにしたため、折曲保持させる際の案内板と保持板との干渉を防止でき、円滑に見台を形成できる。
【００１９】
更に、請求項４記載の仏壇によれば、棚板は、案内板に、仏壇本体の前方への引き出
し限界を規制する止め部材を備えると共に、前端部にマグネットを備え、且つ両側部にス
トッパを設けると共に案内部を形成するための案内枠を設け、保持板に、マグネットを、
案内板のマグネットと対をなし対向位置するよう後端部に設けると共に、後部の両側部に
連結板を設け、且つこの各連結板に折曲自在に連結されると共に、案内部に摺動自在に装
着され摺動方向に沿って案内板のストッパと嵌合し合う長穴を形成する摺動板を設け、棚
板が、仏壇本体内に収納された状態で、案内板と保持板とが互いの各マグネットの磁力に
より当接され、また仏壇本体の前面側に止め部材で規制された引き出し限界まで引き出さ
れた状態で、各マグネットの磁力に抗して保持板を案内板から離間させ、長穴の後端がス
トッパと当接し保持板の移動が規制された状態で、連結板を摺動板に対して折曲させ、保
持板を案内板に近づけるように傾斜させて折曲保持させ、見台が形成されるようにしたた
め、保持板を案内板に対して折曲させる際、案内板の前端部と保持板の後端部との干渉を
防止でき、円滑に見台を形成できる。また各マグネットの作用により、案内板と保持板と
の当接、離間の状態を明確にでき、見台の形成と収納を確実にしかも容易に行なえる。
【実施例】
【００２０】
以下、本発明の仏壇の一実施例について、図１乃至図４に従って説明する。１は仏壇、例えば、厨子調式の仏壇を示すもので、２は仏壇本体である。仏壇１は上下に分割された、基台部３と、この基台部３に載せられた厨子部４とを備えている。
基台部３は底板５、天板である棚６、側板７、７、背板８により略箱形に形成され前面を開口している。
また、厨子部４は、底板９、天板１０、側板１１、１１、背板（図示せず）により縦長の略箱形に形成され、前面に開口部１２を有する。この開口部１２には、開口部１２を開閉させる観音開きの扉１３、１３を設けてある。また、厨子部４の内部には、安置物等を納める厨子１４等が設けられている。
【００２１】
１５、１６は前記天板である棚６と共に仏壇本体２に略水平方向に設けられ、安置物
や仏具等を載置するための複数の棚である。１７は、これら複数の棚６、１５、１６のい
ずれか１つの棚、例えば棚６の下面に、収納部１８を有するように設けられた支持部材で
ある（なお、本実施例では、棚６の下面に、収納部１８を有する支持部材１７を設けたが、本発明にあっては、これに限らず、収納部１８を有する支持部材１７は、棚１５の下面、又は、棚１６の下面に設けても良い。）。
また、１９は仏壇本体２の前面側に面し、支持部材１７に支持され、収納部１８に仏壇本体２の前後方向に引き出し自在に収納（装着）され、仏壇本体２の前面から見て後方に位置する案内板２０および、この案内板２０の前方に位置し案内板２０に調番２１を介して折曲自在に連結された保持板２２を有する棚板である。２３は、この棚板１９が収納部１８から引き出された状態において、保持板２２の裏面に着脱自在に装着される受部材である。この受部材２３は受部２４と段部２５とから略Ｌ字形状に形成され、受部２４に複数の突部２６を設けている。受部材２３は保持板２２の裏面に設けた複数の取付穴２７に突部２６を嵌合させることにより保持板２２に着脱される。
【００２２】
また、蝶番２１は案内板２０の両側部に設けられた固定板２９と、保持板２２の両側部に設けられた作動板３０と、固定板２９に対して作動板３０を回動自在に連結する軸３１とからなる。固定板２９には溝３２、３３が設けられ、作動板３０には回動することにより、これら溝３２、３３と当接するピン３４が設けてある。
そして、保持板２２を図の時計方向に回動させたとき、ピン３４が溝３２と当接し保持板２２を折曲した状態に保持する。また、この状態から反時計方向に回動させたとき、ピン３４が溝３３と当接し、保持板２２は案内板２０と共に水平状態を保持するようにしてある。３５は案内板２０に設けられ、棚６の係止部３６と当接し、棚板１９の仏壇本体２の前方への引き出し限界を規制する止め部材である。引き出し限界は、止め部材３５の設置位置により調整できる。３７は保持板２２に設けられ、係止部３６と当接し、棚板１９の仏壇本体２の後方への押し込み限界を規制する当接部材である。
【００２３】
そして、棚板１９を、図３に示すように収納部１８から仏壇本体２の前面側に引き出した状態で、保持板２２を蝶番２１を介して図において時計方向に回動させ、図４に示すように案内板２０に近づけるように傾斜させて折曲保持させると共に、保持板２２に受部材２３を装着させることにより、受部材２３により書物（例えば、経本、過去帳等）３８が落ちないように受け止め、書物（例えば、経本、過去帳等）３８の見台（書物をのせて読むために用いる台）３９が形成される。また、見台３９を使用しない場合には、受部材２３を外し保持板２２を反時計方向に回動させ、図２に示すように棚板１９を仏壇本体２の後面側に押し込んだ状態で、仏壇本体２内に収納される。これにより簡単な構成で、且つ操作も容易な見台３９が形成される。
なお、この棚板１９は見台３９として使用しない場合には、案内板２０と保持板２２とを折曲させずに水平状態に保持させ載置物を載置するようにしてもよい。また、見台３９を形成する棚板１９を設ける箇所は、棚６と限定するものではなく、厨子部４の棚１５、棚１６でもよく、仏壇本体２に略水平方向に設けられた棚のいずれか１つの棚の下面に、設ければよい。
【００２４】
更に、仏壇１は厨子調式の仏壇１と限定するものではなく、上述した実施例と同一部分に同一符号を付して示す図５の家具調式の仏壇１に適用してもよい。
この家具調式の仏壇１は底板４０、天板４１、側板４２、４２、背板（図示せず）により略箱形に形成され、前面に開口部４３を有する。この開口部４３には、この開口部４３を開閉させる観音開きの扉４４、４４を設けてある。また、仏壇本体２の内部には、安置物等を納める厨子４５等が設けられている。４６、４７、４８は仏壇本体２に略水平方向に設けられ、安置物や仏具等を載置するための複数の棚である。１７、１９は、これら複数の棚４６、４７、４８のいずれか１つの棚、例えば棚４７の下面に設けられた支持部材および棚板である。そして、これら支持部材１７、棚板１９等の構成、作用等は前述の厨子調式の仏壇１と同様である。
【００２５】
また、上述した実施例と同一部分に同一符号を付して示す図６、図７は前述した仏壇１における棚板１９、詳しくは受部材の他の実施例を示すものである。
つまり、棚板１９の保持板２２に形成した切欠部４９に、一側を軸５０で回動自在に装着され、回動することにより、保持板２２に起立保持あるいは切欠部４９内に収納保持される受部材５１とを備え、棚板１９を、収納部１８から仏壇本体２の前面側に引き出した状態で、保持板２２を図において時計方向に回動させ案内板２０に近づけるように傾斜させて折曲保持させると共に、図７に示すように切欠部４９から受部材５１を図において反時計方向に回動させ起立保持させることにより、受部材５１により書物（例えば、経本、過去帳等）３８が落ちないように受け止め、書物３８の見台が形成されるようにし、受部材５１を逆に時計方向に回動させ、図６に示すように切欠部４９内に収納保持し後面側に押し込まれた状態で、仏壇本体２内に収納されるようにしたものである。
なお、受部材５１は受部２４と段部２５を備え、略Ｌ字形状に形成する。このように受部材５１を保持板２２に起立、収納できるようにしたため、見台３９をより薄形化できる。また受部材５１と保持板２２とが一体化され、構成が簡素化される。
【００２６】
また、上述した実施例と同一部分に同一符号を付して示す図８乃至図１２は、前述した仏壇１のさらに他の実施例を示すものである。つまり、６、１５、１６等は厨子調式の仏壇本体２に略水平方向に設けられ、安置物や仏具等を載置するための複数の棚である。５２、５２はこれら複数の棚６、１５、１６等のいずれか１つの棚、例えば棚６の下面に、仏壇本体２の前後方向に沿って設けられ、仏壇本体２の前面から見て左右に互いに離間し対向して位置するように設けられた支持部材である。１９は仏壇本体２の前面側に面し、支持部材５２、５２のガイド部５３、５３で両側部を案内され、支持部５４、５４で両側部を支持され、支持部材５２、５２を介して棚６の下面に仏壇本体２の前後方向に引き出し自在に懸吊され、仏壇本体２の前面から見て後方に位置する案内板２０および、この案内板２０の前方に位置し案内板２０に折曲自在に連結され裏面に受部材５５を設けた保持板２２を有する棚板である。この受部材５５は支持部材５２、５２と干渉しない幅寸法に形成されている。
【００２７】
そして、棚板１９を、棚６の下面から図１０に示すように仏壇本体２の前面側に引き出した状態で、保持板２２を蝶番２１を介して図において時計方向に回動させ、図１１に示すように案内板２０に近づけるように傾斜させて折曲保持させ、書物（例えば、経本、過去帳等）３８の見台３９が形成されるようにし、図９に示すように後面側に押し込まれた状態で、仏壇本体２内に収納されるようにしたものである。そのため、棚板１９を、支持部材５２で両側部を支持し棚６に懸吊したため、受部材５５を保持板２２に一体化でき構成をより簡単にできる。
【００２８】
また、この図８乃至図１２に示す仏壇１も、前述と同様、上述した実施例と同一部分に同一符号を付して示す図１３に示す家具調式の仏壇１に適用してもよい。また、棚板１９を設ける箇所も、棚４７と限定するものではなく、仏壇本体２に略水平方向に設けられた棚４６、４８等でもよい。そして、これら支持部材５２、棚板１９等の構成作用等は前述の厨子調式の仏壇１と同様である。
【００２９】
また、上述した実施例と同一部分に同一符号を付して示す図１４乃至図２０は、前述した図８に示す仏壇１のさらに他の実施例を示すものである。つまり、６、１５、１６等は仏壇本体２に略水平方向に設けられ、安置物や仏具等を載置するための複数の棚である。１９はこれら複数の棚６、１５、１６等のいずれか１つの棚、例えば、棚６の下面に、仏壇本体２の前面側に面するように設けられ、仏壇本体２の前面から見て、後方に位置する案内板２０および、この案内板２０の前方に位置し案内板２０に蝶番２１を介して折曲自在に連結され、裏面に受部材５５を設けた保持板２２を有する棚板である。
５６は棚６の下面に（図１４乃至図２０、特に、分解斜視図である図２０参照）、仏壇本体２の左右方向に沿って設けられ、摺動溝部５７を有する左右スライド保持体である。５８は、この左右スライド保持体５６に摺動自在に取り付けられる左右スライド体である。この左右スライド体５８は、両端を折曲させ折曲片７８、７８を形成した移動板７９を設け、この移動板７９の折曲片７８、７８に、左右スライド保持体５８の摺動溝部５７に摺動自在に嵌合する摺動体８０を、ネジ８１、８１で取り付け構成してある。また、５９は、この左右スライド体５８に、仏壇本体２の前後方向に沿って設けられ、摺動溝部７４を有する前後スライド保持体である。６０は棚板１９の、案内板２０および保持板２２の少なくとも案内板２０の上面に仏壇本体２の前後方向に沿って設けられ、前後スライド保持体５９に摺動自在に取り付けられる前後スライド体である。
図２０に示すように、左右スライド保持体５８、前後スライド保持体５９，左右スライド保持体５８とは、平面視、略Ｈ形状をなしているが、左右スライド保持体５８は１個でも良い。この場合、図示しないが、左右スライド保持体５８、前後スライド保持体５９とは、平面視、略十文字形状をなす。
【００３０】
そして、棚板１９を、左右スライド保持体５６、左右スライド体５８、前後スライド保持体５９、前後スライド体６０を介して、棚６の下面に仏壇本体２の左右方向および前後方向に沿って摺動自在に懸吊し、棚６の下面から図１８に示すように仏壇本体２の前面側に引き出した状態で、保持板２２を図において時計方向に回動させ、図１９に示すように案内板２０に近づけるように傾斜させて折曲保持させ、書物（例えば、経本、過去帳等）３８の見台３９が形成されるようにすると共に、仏壇本体２の左右方向に移動できるようにし、図１６に示すように後面側に押し込まれた状態で、仏壇本体２内に収納するようにしたものである。
なお、例えば、左右スライド保持体５６、前後スライド保持体５９には、図示しないがスライド抑止部材が設けられ、棚板１９が必要以上に左右、前後に移動するのを防止している。そのため、棚板１９のより円滑な引き出し操作およびより迅速な見台３９の形成操作ができると共に、棚板１９を左右方向に移動できるため、見台３９を適切な位置に調節できる。
【００３１】
また、この図１４乃至図２０に示す仏壇１も、前述と同様、上述した実施例と同一部分に同一符号を付して示す図２１に示す家具調式の仏壇１に適用してもよい。また、棚板１９を設ける箇所も、棚４７と限定するものではなく、仏壇本体２に略水平方向に設けられた棚４６、４８等でもよい。そして、棚板１９等の構成作用等は前述の厨子調式の仏壇１と同様である。
【００３２】
更に、同一部分に同一符号を付して示す図２２乃至図２７は、前述した図１４に示す
仏壇１のさらに他の実施例を示すものであり、詳しくは棚板１９の他の実施例を示すもの
である。つまり、棚板１９は、支持部材５２、５２で両側部を支持され棚６に懸吊され、案内板２０に、仏壇本体２の前方への引き出し限界を規制する止め部材３５を備えると共に、仏壇本体２の前面から見て、前端部６２にマグネット６３を備え、且つ両側部にねじ込まれたネジで形成するストッパ６４、６４を設けると共に仏壇本体２の前後方向に沿って案内部６５、６５を形成するための案内枠６６、６６を設けている。止め部材３５は棚６の係止部３６と当接し、引き出し限界を規制している。また、保持板２２に、マグネット６７を、案内板２０のマグネット６３と対をなし対向位置するよう、仏壇本体２の前面から見て、後端部６８に設けると共に後部の両側部に連結板６９、６９を設け、且つこの各連結板６９、６９に軸７０を介して折曲自在に連結されると共に、案内部６５、６５に摺動自在に装着され摺動方向に沿って案内板２０のストッパ６４、６４と嵌合し合う長穴７１、７１を形成する摺動板７２、７２を設けている。
【００３３】
そして、図２３に示すように棚板１９が、仏壇本体内２に収納された状態で、案内板２０と保持板２２とが互いの各マグネット６３、６７の磁力により当接され、また、図２４に示すように仏壇本体２の前面側に止め部材３５で規制された引き出し限界まで引き出された状態で、各マグネット６３、６７の磁力に抗して保持板２２を案内板２０から離間させ、図２５に示すように長穴７１の後端７３がストッパ６４と当接し保持板２２の移動が規制された状態で、連結板６９を摺動板７２に対して折曲させ、保持板２２を図において時計方向に回動させ、図２６、２７に示すように案内板２０に近づけるように傾斜させて折曲保持させ、経本３８等の見台３９が形成されるようにしたものである。なお、穴７５（図２２参照）は、ネジで形成するストッパ６４を案内板２０にねじ込む際のねじ込み用の穴で、ネジ頭より大きな径で形成され、ストッパ６４と案内枠６６とは干渉しない状態とされる。このストッパ６４は長穴７１と嵌合し合うようにねじ込まれる。また、摺動板７２には保持板２２を案内板２０に対して折曲させたとき、連結板６９と当接し保持板２２の折曲状態を保持させる突片７６を設けている。また、７７は案内板２０に案内枠６６を固定させる止めネジである。
【００３４】
そして、このように構成する棚板１９は前述した仏壇１における棚板に対して適用で
きる。そのため、保持板２２を案内板２０に対して折曲させる際、案内板２０の前端部６
２と保持板２２の後端部６８との干渉を防止でき、円滑に見台を形成できる。また各マグ
ネット６３、６７の作用により、案内板２０と保持板２２との当接、離間の状態を明確に
でき、見台３９の形成と収納を確実にしかも容易に行なえる。
【図面の簡単な説明】
【００３５】
【図１】本発明の仏壇の一実施例を示す斜視図である。
【図２】図１のＡ−Ａ線に沿って切断した要部の概略断面図である。
【図３】図２の仏壇の棚板を引き出した状態を示す要部の概略断面図である。
【図４】図３の仏壇の棚板を折曲させた状態を示す要部の概略断面図である。
【図５】図１の仏壇を家具調式の仏壇に適用した場合の一実施例を示す斜視図である。
【図６】図１の仏壇の棚板の他の実施例を示す要部の概略断面図である。
【図７】図６の仏壇の棚板の受部材を起立させた状態を示す要部の概略断面図である。
【図８】図１の仏壇と異なる他の仏壇の実施例を示す斜視図である。
【図９】図８の仏壇のＢ−Ｂ線に沿って切断した要部の概略断面図である。
【図１０】図９の仏壇の棚板を引き出した状態を示す要部の概略断面図である。
【図１１】図１０の仏壇の棚板を折曲させた状態を示す要部の概略断面図である。
【図１２】図１１の仏壇の棚板の概略斜視図である。
【図１３】図８の仏壇を家具調式の仏壇に適用した場合の一実施例を示す斜視図である。
【図１４】図８の仏壇と異なる他の仏壇の実施例を示す斜視図である。
【図１５】図１４の矢印Ｃの向きから見た要部の概略正面図である。
【図１６】図１５のＤ−Ｄ線に沿って切断した要部の概略断面図である。
【図１７】図１６のＥ−Ｅ線に沿って切断した要部の概略断面図である。
【図１８】図１６の仏壇の棚板を引き出した状態を示す要部の概略断面図である。
【図１９】図１８の仏壇の棚板を折曲させた状態を示す要部の概略断面図である。
【図２０】図１４の要部を分解して示す分解斜視図である。
【図２１】図１４の仏壇を家具調式の仏壇に適用した場合の一実施例を示す斜視図である。
【図２２】図１４の仏壇と異なる他の仏壇の実施例を示す要部の分解斜視図である。
【図２３】図２２の仏壇の要部の概略断面図である。
【図２４】図２３の仏壇の棚板を引き出した状態を示す要部の概略断面図である。
【図２５】図２４の仏壇の棚板の、案内板と保持板とが離間するまで棚板を引き出した状態を示す要部の概略断面図である。
【図２６】図２５の仏壇の棚板を折曲させた状態を示す要部の概略断面図である。
【図２７】図２６の仏壇の棚板の概略斜視図である。
【符号の説明】
【００３６】
1         仏壇
2         仏壇本体
６        棚
17        支持部材
18        収納部
19        棚板
20        案内板
21        蝶番
22        保持板
23        受部材
38        書物
39        見台
【図１】
0004791780.tif 000002
【図２】
0004791780.tif 000003
【図３】
0004791780.tif 000004
【図４】
0004791780.tif 000005
【図５】
0004791780.tif 000006
【図６】
0004791780.tif 000007
【図７】
0004791780.tif 000008
【図８】
0004791780.tif 000009
【図９】
0004791780.tif 000010
【図１０】
0004791780.tif 000011
【図１１】
0004791780.tif 000012
【図１２】
0004791780.tif 000013
【図１３】
0004791780.tif 000014
【図１４】
0004791780.tif 000015
【図１５】
0004791780.tif 000016
【図１６】
0004791780.tif 000017
【図１７】
0004791780.tif 000018
【図１８】
0004791780.tif 000019
【図１９】
0004791780.tif 000020
【図２０】
0004791780.tif 000021
【図２１】
0004791780.tif 000022
【図２２】
0004791780.tif 000023
【図２３】
0004791780.tif 000024
【図２４】
0004791780.tif 000025
【図２５】
0004791780.tif 000026
【図２６】
0004791780.tif 000027
【図２７】
0004791780.tif 000028